(57)【要約】【課題】バッテリを内蔵する付属品であって、持ち運び時にも不具合が生じることがない電子機器へ接続可能な付属品を提供すること。【解決手段】カメラボディの電池室挿入して装着されるバッテリアダプタ１は、バッテリパックが装填可能であって、カメラボディ固定用三脚ネジ１３を有するアダプタ本体部２と、カメラボディに対する電力供給用接点接触部２３ｂを有する接点台座部３とからなり、接点台座部３は、アダプタ本体部２に対して起立位置と折り畳み位置とに回動自在に支持されており、カメラボディに装着する場合は、接点台座部３を上記起立状態とするが、バッテリアダプタを単品で携帯する場合には、上記折り畳み状態とすることができるので、携帯性が改善される。【選択図】図１
2006030404.tif 000002
【特許請求の範囲】
【請求項１】
電子機器へ電力を供給するために、バッテリを内蔵した付属品本体部と、
上記付属品本体部に対して可動で、上記電子機器の電力を受ける電子機器電力接点に接続される付属品電力接点を有し、上記電子機器の電池収納室に挿入されることが可能な接点台座部と、
を有することを特徴とする電子機器へ接続可能な付属品。
【請求項２】
上記接点台座部は、上記電子機器に接続されないときには、上記付属品本体部分に対して回転して折り畳まれることを特徴とする請求項１に記載の電子機器へ接続可能な付属品。
【請求項３】
上記接点台座部は、上記付属品本体部に対して着脱可能であり、上記電子機器に接続されないときには、上記付属品本体部に対して分離可能であることを特徴とする請求項１に記載の電子機器へ接続可能な付属品。
【発明の詳細な説明】
【技術分野】
【０００１】
本発明は、電子機器へ接続可能可能なバッテリを着脱可能な付属品の構造に関する。
【背景技術】
【０００２】
従来、カメラ用外部電源装置に関して特許文献１に開示されたものは、カメラの底面に取り付け可能であり、その本体部に電池が収納され、コネクタ部としてカメラ内壁に挿入されるＬ型突出部を設けたものである。このカメラ用外部電源装置は、着脱操作が容易であり、かつ、確実な電池電源の接続を可能とするものである。
【特許文献１】特許文献１は、特開２０００−２３５２２１号公報である。
【発明の開示】
【発明が解決しようとする課題】
【０００３】
しかし、上述した特許文献１に開示されたカメラ用外部電源装置は、該電源装置本体に対して大きく飛び出したＬ型突出部を有しており、例えば、単体で携帯するようなとき、大きく嵩張り、バックなどに収まりにくいといった問題があった。
【０００４】
本発明は、上述の問題を解決するためになされたものであり、バッテリを内蔵する付属品であって、持ち運び時にも不都合が生じることがない電子機器へ接続可能な付属品を提供することを目的とする。
【課題を解決するための手段】
【０００５】
本発明の請求項１記載の電子機器へ接続可能な付属品は、電子機器へ電力を供給するために、バッテリを内蔵した付属品本体部分と、上記付属品本体部分に対して可動で、上記電子機器の電力を受ける電子機器電力接点に接続される付属品電力接点を有し、上記電子機器の電池収納室に挿入されることが可能な接点台座部とを有する。
【０００６】
本発明の請求項２の電子機器へ接続可能な付属品は、請求項１に記載の電子機器へ接続可能な付属品において、上記接点台座部は、上記電子機器に接続されないときには、上記付属品本体部分に対して回転して折り畳まれる。
【０００７】
本発明の請求項３の記載の電子機器へ接続可能な付属品は、請求項１に記載の電子機器へ接続可能な付属品において、上記接点台座部は、上記付属品本体部分に対して着脱可能であり、上記電子機器に接続されないときには、上記付属品本体部分に対して分離可能である。
【発明の効果】
【０００８】
本発明によれば、バッテリを内蔵する付属品であって、持ち運び時にも不具合が生じることがない電子機器へ接続可能な付属品を提供することができる。
【発明を実施するための最良の形態】
【０００９】
以下、図を用いて本発明の実施形態について説明する。  
図１は、本発明の第一の実施形態であるバッテリを内蔵するバッテリアダプタの装着可能状態での外観を示す斜視図である。図２は、上記バッテリアダプタの折り畳み状態での外観を示す斜視図である。図３は、上記バッテリアダプタが装着されるカメラボディの外観斜視図である。図４は、上記バッテリアダプタのカメラ装着状態で、バッテリ未装填状態のアダプタ本体部の断面図である。図５は、上記バッテリアダプタのカメラ装着状態でバッテリを装填した状態の断面図である。図６，７は、上記バッテリアダプタのバッテリ位置決め台と保護シートの状態を示す斜視図であって、そのうち、図６は、バッテリ未装填状態、図７は、バッテリ装填状態を示す。図８は、アダプタ本体部と接片支柱部との連結部の分解斜視図である。図９，１０は、アダプタ本体部と接片支柱部との連結部の断面図であって、図９は、接片支柱部起立状態、図１０は、接片支柱部折り畳み状態を示す。
【００１０】
本実施形態の電子機器であるカメラボディ５０への接続が可能な付属品としてのバッテリアダプタ１は、バッテリパック２９が装填（内蔵）可能な付属品本体部であるアダプタ本体部２と、アダプタ本体部２に対して折り畳み可能な接点台座部３とからなる。
【００１１】
カメラボディ５０は、図３に示すように本体５１の前面中央にレンズマウント部５１ａを有しており、レンズマウント部５１ａの内部にはレンズ光軸Ｏ上に可動ミラー５３と、下方部にマウント接点部５４が配される。さらに、カメラボディ５０の底面５１ｂに三脚ネジ５１ｄと位置決めピン穴５１ｅが配されている。また、本体５１の左側にカメラグリップ部５１ｃが配され、そのグリップ部５１ｃの上方にレリーズ操作釦５５が配される。グリップ部５１ｃ内部には、底面部に電池室開口部５１ｆが配され、底面側から上方のＺ方向（底面５１ｂに直交する方向）に沿った電池収納室である電池室５１ｇが配されている。
【００１２】
電池室５１ｇには、図５に示すように内面上方部に位置決め凹部５１ｈが設けられ、内面右側面に３本の弾性変形可能な電子機器電力接点であるカメラボディ側接点部材２４が配される。この接点部材２４は、カメラボディ側接点台２５に接続固定されている。電池室５１ｇには、後述するようにバッテリアダプタ１の接点台座部３が挿入可能であるが、別に単体のカメラ用バッテリが装填可能である。該カメラ用バッテリが装填される場合には、図示しない開閉可能なカメラボディ側電池蓋が電池室開口部５１ｆに取り付けられる。
【００１３】
バッテリアダプタ１のアダプタ本体部２は、図４，５に示すように上下二分割された本体部材４からなり、右方端部にバッテリ挿入開口部４ａを有し、内部に外付けの電力供給バッテリであるバッテリパック２９を収納するバッテリ収納室４ｂが設けられる。二分割の本体部材４の接合面には防水パッキン１５が挟み込まれる。
【００１４】
バッテリ収納室４ｂには、その奥にバッテリ位置決め台８と、奥下方位置に３つの電池接片１１と、電池接片１１の上方部に湾曲状態の接片保護シート１０とが配置されている。
【００１５】
アダプタ本体部２の上面４ｅは、カメラボディ装着時、カメラボディ底面５１ｂに密着する面であるが、その上面４ｅには、ダイヤル部１３ａを有し、防水パッキン１７付き押さえ板１４で保持される三脚ネジ１３と、位置決めピン４ｃと、上記カメラボディ側電池蓋を収納するための凹部４ｇと、カメラボディ５０の電池室開口部５１ｆに対向する位置に嵌合凸部４ｆとが設けられる。なお、嵌合凸部４ｆには防水パッキン１８が嵌め込まれ、さらに、嵌合凸部４ｆの上面には、接点台座部３をＤ方向に回動自在に支持する台座取り付け台１９が固着されている。なお、接点台座部３の詳細は、後で説明する。
【００１６】
アダプタ本体部２に装填されるバッテリパック２９は、電極２９ａを有し、反電極側にバッテリ蓋部材５と一体化されたバッテリ取り付け部材３０が取り付けられる。バッテリ蓋部材５には、本体部材４のバッテリ挿入開口部４ａに配される挿入部係合溝４ｄに回動して係合可能なロック爪７が設けられている。該ロック爪７は、バッテリ蓋部材５のロック操作部材６によってロック位置と解放位置に回動操作が可能である。
【００１７】
バッテリ蓋部材５およびバッテリ取り付け部材３０が取り付けられたバッテリパック２９は、アダプタ本体部２のバッテリ収納室４ｂにバッテリ挿入開口部４ａよりＹ方向に挿入される。挿入後、ロック操作部材６を回動操作することによりバッテリパック２９は、ロックされ、装填状態となる（図１２）。その装填状態では、バッテリパック２９の電極側端部は、バッテリ位置決め台８のバッテリ嵌合突起８ａにガタなく嵌合する。さらに、バッテリパック２９の先端部で接片保護シート１０が押圧され、バッテリパック２９の電極２９ａに電池接片１１が接触する（図７）。なお、上記装填状態でバッテリ取り付け部材３０と本体部材４との接合部には、防水パッキン１６が配される。
【００１８】
台座取り付け台１９は、図８に示すように接点台座部３を軸支する回動軸２２が貫通し、螺着される軸穴１９ａおよびネジ穴１９ｂと、連結用フレキシブルプリント基板１２が挿通する挿通開口部１９ｃとを有している。この台座取り付け台１９は、アダプタ本体部２の上面４ｅの左方の嵌合凸部４ｆ上に固定される。なお、以下、フレキシブルプリント基板は、ＦＰＣと記載する。
【００１９】
接点台座部３は、図１，２に示すように支柱部材２１と、付属品電力接点であるアダプタ側接点部材２３と、連結用ＦＰＣ１２とを有してなる。
【００２０】
接点台座部３の支柱部材２１は、図５，８〜１０に示すように台座取り付け台１９に回動軸２２によってＤ方向に回動自在に取り付けられ、起立位置（図１に示すＺ方向に沿った回動位置）から折り畳み位置（図２に示すアダプタ本体部２の上面４ｅ側に倒した位置）に回動させることができる。支柱部材２１の下端部にはストッパ凸部２１ａが形成されている。支柱部材２１が上記起立位置にあるとき、該ストッパ凸部２１ａが台座取り付け台１９の上面に当接して上記起立位置以上の倒れ込みを防止する（図１，９）。
【００２１】
支柱部材２１の内部の上方位置に接点部材２３が固定支持されている。接点部材２３の接触部２３ａは、支柱部材２１の上方の切り欠き部２１ｄにて外部に露呈される。
【００２２】
支柱部材２１の上面部には、外方に突出する位置決め突起２１ｂが設けられる。この位置決め突起２１ｂは、カメラボディ５０への装着状態で電池室５１ｇ内の位置決め凹部５１ｈに嵌入し、支柱部材２１の位置決めを行い、アダプタ側接点部材２３の接触部２３ａをカメラボディ５０側のカメラボディ側接点部材２４に確実に接触させる。
【００２３】
連結用ＦＰＣ１２は、図５の示すように一端部がアダプタ本体部２側の電池接片１１に接続され、台座取り付け台１９の回動軸２２の近傍の挿通開口部１９ｃを挿通して、他端部が支柱部材２１の内部の接点部材２３に接続される。
【００２４】
上述した構成を有するバッテリアダプタ１をカメラボディ５０に装着する場合、バッテリアダプタ１の接点台座部３を図１の起立状態とする。そして、接点台座部３の支柱部材２１をカメラボディ５０の電池室５１ｇにＺ方向に沿って挿入する。電池室開口部５１ｆに嵌合凸部４ｆがガタなく嵌入し、アダプタ本体２がカメラボディ５０の底面５１ｂに対して位置決めされる。また、その嵌入部は防水パッキン１８で密閉される。
【００２５】
また、カメラボディ５０の底面部５１ｂにアダプタ本体部２の上面４ｅを当接させ、三脚ネジ１３をカメラボディ側の三脚ネジ５１ｄに螺着して固定する。但し、位置決めピン４ｃは、カメラボディ側の位置決めピン穴５１ｅに対して嵌合している。
【００２６】
上記装着状態で位置決め突起２１ｂが電池室５１ｇの位置決め凹部５１ｈに嵌入して支柱部材２１が位置決めされ、アダプタ側接点部材２３がカメラボディ側接点部材２４に接触し、バッテリアダプタ１側の電池接片１１がカメラボディ５０側の接点部材２４と導通状態となる。
【００２７】
上述のようにカメラボディ５０にバッテリアダプタ１が装着され、バッテリパック２９がバッテリアダプタ１の装填されれば、バッテリパック２９の電力がカメラボディ５０側に供給可能な状態にセットされる。
【００２８】
また、バッテリアダプタ１を単体で携帯する場合は、バッテリアダプタ１をカメラボディ５０から取り外した状態で接点台座部３をアダプタ本体部２の上面４ｅ側に回動させて図２に示す折り畳み状態とし、接点台座部３が起立していない状態にて携帯することができる。
【００２９】
以上、説明したように本実施形態のバッテリアダプタ１によれば、カメラボディ５０へのバッテリ接続部となる接点台座部３が装着状態での起立状態から折り畳み状態に駆動可能に構成されていることから、バッテリアダプタ１を単品で携帯する場合に接点台座部２１を折り畳んで嵩張らない状態とすることができ、携帯しやすい。
【００３０】
次に、本発明の第二の実施形態の電子機器であるカメラボディ５０への接続が可能な付属品としてのバッテリアダプタ１Ａについて図１１，１２を用いて説明する。  
図１１は、本実施形態のバッテリアダプタ１Ａにおける接点台座部３Ａとアダプタ本体部２Ａとの分離状態を示す斜視図であり、図１２は、上記バッテリアダプタのカメラボディ装着状態での断面図である。
【００３１】
本実施形態のバッテリアダプタ１Ａは、前記第１の実施形態のバッテリアダプタ１に対して接点台座部がアダプタ本体に対して着脱可能になっている点が異なる。他の構成は、第一の実施形態と同様であり、同一構成部材については、同一符号を付して、以下、異なる部分について説明する。
【００３２】
本実施形態のバッテリアダプタ１Ａは、図１１に示すようにバッテリパック２９が装填（内蔵）可能な付属品本体部であるアダプタ本体部２Ａと、アダプタ本体部２Ａに対して着脱可能な接点台座部３Ａとからなる。
【００３３】
アダプタ本体部２Ａには、嵌合凸部４ｆの上面部に固定される台座取り付け台３１に接点台座部３Ａがスライド嵌入するアリ溝凸部３１ａが設けられている。
【００３４】
アダプタ本体部２Ａに内蔵される電池接片１１とその一端部が接続される連結ＦＰＣ３２は、台座取り付け台３１の内部に配される中継接続板３３にその他端部が接続される。中継接続板３３は、弾性変形可能な先端部に接点部材３４が接触して取り付けられており、その接点部材３４は、一端が球面状を有しており、アリ溝凸部を挿通してその上面部に露呈し、軸方向に移動可能な状態で配される。
【００３５】
一方、接点台座部３Ａの支柱部材４１には、底面部にアリ溝凸部３１ａがスライド嵌入可能なアリ溝４１ａが設けられている。アリ溝４１ａには、固定接点部材４３がアリ溝４１ａの下面に露呈した状態で配されている。固定接点部材４３には、連結ＦＰＣ４２の一端部が接続され、その他端部がアダプタ側接点部材２３に接続される。接点部材２３は、前記第一実施形態の場合と同様にバッテリアダプタ１Ａをカメラボディ５０に装着したとき、カメラボディ側接点部材２４と接触する。
【００３６】
上述した構成を有する本実施形態のバッテリアダプタ１Ａをカメラボディ５０に装着する場合、バッテリアダプタ１Ａのアダプタ本体部２Ａに対してアダプタ本体側アリ溝凸部３１ａに支柱部材側アリ溝４１ａをスライド嵌入させて接点台座部３Ａを取り付ける。その取り付け状態で接点台座部３Ａをカメラボディ５０の電池室５１ｇに挿入する。前記第一の実施形態の場合と同様にカメラボディ５０の底面部５１ｂにアダプタ本体部２の上面４ｅを当接させ、三脚ネジ１３をカメラボディ側の三脚ネジ５１ｄに螺着して固定する。上記装着状態ではアダプタ側接点部材２３がカメラボディ側接点部材２４に接触し、バッテリアダプタ１Ａ側の電池接片１１がカメラボディ５０側の接点部材２４と導通状態となる。
【００３７】
バッテリアダプタ１Ａのみを携帯する場合は、アダプタ本体側アリ溝凸部３１ａと支柱部材側アリ溝４１ａとの結合状態をスライドさせて解放し、接点台座部３Ａをアダプタ本体部２Ａから分離して携帯することができる。
【００３８】
本実施形態のバッテリアダプタ１Ａによれば、上述したようにバッテリアダプタ１Ａのみを携帯する場合、接点台座部３Ａとアダプタ本体部２Ａとを分離することができるので、携帯しやすい。
【００３９】
なお、上述した実施の形態では、カメラボディに装着されるバッテリアダプタを例にとって説明したが、本発明の付属品は、これに限られるものではなく、バッテリを内蔵する電子機器であれば何れにも適用可能である。
【産業上の利用可能性】
【００４０】
本発明による電子機器へ接続可能な付属品は、持ち運び時にも不具合が生じることがない付属品として利用可能である。
【図面の簡単な説明】
【００４１】
【図１】本発明の第一の実施形態であるバッテリを内蔵するバッテリアダプタの装着可能な起立状態での外観を示す斜視図である。
【図２】図１のバッテリアダプタの折り畳み状態での外観を示す斜視図である。
【図３】図１のバッテリアダプタが装着されるカメラボディの外観斜視図である。
【図４】図１のバッテリアダプタのカメラ装着状態、バッテリ未装填状態でのアダプタ本体部の断面図である。
【図５】図１のバッテリアダプタのカメラ装着状態でバッテリ装填状態での断面図である。
【図６】図１のバッテリアダプタのバッテリ未装填状態におけるバッテリ位置決め台と保護シートの状態を示す斜視図である。
【図７】図１のバッテリアダプタのバッテリ装填状態におけるバッテリ位置決め台と保護シートの状態を示す斜視図である。
【図８】図１のバッテリアダプタにおけるアダプタ本体部と接片支柱部との連結部の分解斜視図である。
【図９】図１のバッテリアダプタにおける接片支柱部の起立状態でのアダプタ本体部と接片支柱部との連結部の断面図ある。
【図１０】図１のバッテリアダプタにおける接片支柱部折り畳み状態でのアダプタ本体部と接片支柱部との連結部の断面図である。
【図１１】本発明の第二の実施形態のバッテリアダプタの分離状態の斜視図である。
【図１２】図１１のバッテリアダプタのカメラボディ装着状態での断面図である。
【符号の説明】
【００４２】
１，１Ａ
…バッテリアダプタ
（電子機器へ接続可能な付属品）
２，２Ａ
…アダプタ本体部（付属品本体部）
３，３Ａ
…接点台座部
２３  …アダプタ側接点部材（付属品電力接点）
２４  …カメラボディ側接点部材
（電子機器電力接点）
２９  …バッテリパック（バッテリ）
５０  …カメラボディ（電子機器）
５１ｇ…電池室（電池収納室）
代理人      弁理士    伊  藤    進
【図１】
2006030404.tif 000003
【図２】
2006030404.tif 000004
【図３】
2006030404.tif 000005
【図４】
2006030404.tif 000006
【図５】
2006030404.tif 000007
【図６】
2006030404.tif 000008
【図７】
2006030404.tif 000009
【図８】
2006030404.tif 000010
【図９】
2006030404.tif 000011
【図１０】
2006030404.tif 000012
【図１１】
2006030404.tif 000013
【図１２】
2006030404.tif 000014